(57)【特許請求の範囲】
【請求項１】
溝形断面形状に成型された一個の弾性を有する断熱材ユニットから構成され、単独で軽量形鋼の根太の少なくとも下側の外周を包囲するスチールハウスにおける根太用断熱材であって、前記根太の下側のリップに接する部分に当該リップに下向きに係合するフックが形成されてなるスチールハウスにおける根太用断熱材。
【請求項２】
成型された複数個の断熱材ユニットから構成され、溝形断面形状に組み合わせられて軽量形鋼の根太の少なくとも下側の外周を包囲するスチールハウスにおける根太用断熱材。
【請求項３】
隣接する断熱材ユニットは根太の下端の位置で互いに接合される請求項２記載のスチールハウスにおける根太用断熱材。
【請求項４】
根太の幅方向両側に位置する二個の断熱材ユニットは根太の上端を回り込む吊り材で互いに連結されている請求項３記載のスチールハウスにおける根太用断熱材。
【請求項５】
請求項１乃至請求項４のいずれかに記載の根太用断熱材で軽量形鋼の根太の少なくとも下側の外周を包囲してあるスチールハウスにおける床の断熱構造。
【請求項６】
軽量形鋼の根太の少なくとも下側の外周に繊維系断熱材の根太用断熱材を巻き付けてあるスチールハウスにおける床の断熱構造であって、前記根太の下側のリップに接する部分に当該リップに下向きに係合するフックが形成されてなるスチールハウスにおける床の断熱構造。
【請求項７】
軽量形鋼の根太の少なくとも下側の外周に発泡プラスチック系断熱材の根太用断熱材を吹き付けてあるスチールハウスにおける床の断熱構造であって、前記根太の下側のリップに接する部分に当該リップに下向きに係合するフックが形成されてなるスチールハウスにおける床の断熱構造。
【請求項８】
隣接する根太間に床用断熱材を配置してある請求項５乃至請求項７のいずれかに記載のスチールハウスにおける床の断熱構造。
【請求項９】
基礎梁上で、もしくは基礎梁の屋内側で根太を支持する端根太の屋内側に端根太用断熱材を配置してある請求項８記載のスチールハウスにおける床の断熱構造。
【請求項１０】
軽量形鋼の根太の下に根太を支持する木製の大引きが配置され、この隣接する大引き間に床用断熱材を配置してあるスチールハウスにおける床の断熱構造。
【請求項１１】
請求項８乃至請求項10のいずれかに加え、外壁面に沿って外壁用断熱材を配置してあるスチールハウスにおける家屋の断熱構造。
【請求項１２】
屋根面に沿って、もしくは天井面に沿って屋根用断熱材、もしくは天井用断熱材を配置してある請求項11記載のスチールハウスにおける家屋の断熱構造。
【発明の詳細な説明】
【０００１】
【発明の属する技術分野】
この発明はスチールハウスの根太に使用される根太用断熱材と、根太用断熱材を用いて根太に断熱を施した床の断熱構造、及び根太用断熱材を含む床と家屋全体の断熱構造に関するものである。
【０００２】
【従来の技術及び発明が解決しようとする課題】
枠組壁工法に使用されるパネルの木材を軽量形鋼に置き換えた形式のスチールハウスは木造住宅にない防火性能や耐蝕性能がある他、白蟻対策が不要である等の利点を持つ上、枠組壁工法と同様の要領で施工できる簡便さがあることから、住宅の新工法として注目されつつあるが、鋼材は木材より  かに熱伝導性が高いため、断熱性能の確保に課題が残る。
【０００３】
外壁においては木造住宅の場合と同様に、躯体の屋外側全面に断熱材を張ることにより、屋根面や天井面においても垂木や天井根太に沿って断熱材を全面に張ることによりそれぞれ一定の断熱性能を確保することはできる。しかし、床下においては、隣接する根太間に断熱材を敷設することで断熱性能を確保することから、この断熱材によっては鋼製の根太が床下の外気に触れることによる熱伝導を防止することができない。
【０００４】
この発明は上記背景より、スチールハウスの根太に適した断熱材とスチールハウス特有の床の断熱構造を提案するものである。
【０００５】
【課題を解決するための手段】
床下の隣接する根太間における断熱性は根太間に配置される床用断熱材によって確保され、床用断熱材は根太の天端から、根太の高さ方向の中間部の高さまでの外周を覆うため、この床用断熱材と共に根太における断熱性を確保するとすれば、根太に対する断熱材は根太の少なくとも下側の外周を包囲するように配置されればよいことになる。
【０００６】
本発明では成型された断熱材を使用する場合は、請求項１に記載のように溝形断面形状に成型された一個の弾性を有する断熱材ユニットから、もしくは請求項２に記載のように溝形断面形状に組み合わせられる複数個の断熱材ユニットから根太用断熱材を構成することにより、根太の少なくとも下側の外周を包囲し、根太と床下の外気との接触を遮断し、根太における熱伝導を防止する。
【０００７】
スチールハウスの根太にはリップ溝形鋼が使用されることから、一個の断熱材ユニットを用いる場合、その断熱材ユニットは根太のリップ部分において下向きに係止，もしくは係合することで、あるいは根太の外周面に接着されることで根太に支持され得る。このため、弾性を利用し、一旦開いた後に閉じて根太を挟み込みながら、断熱材ユニットを根太に支持させることで断熱材ユニット自身を根太からの離脱に対して安定させることが可能で、隣接する根太間に敷設される床用断熱材を支持する機能を持たせることもできる。
【０００８】
複数個の断熱材ユニットを用いる場合は、請求項３に記載のように隣接する断熱材ユニットが根太の下端の位置で互いに接合されながら根太に支持されることにより離脱に対して安定し、床用断熱材を支持する機能を持つ。または請求項４に記載のように根太の幅方向両側に位置する二個の断熱材ユニットが根太の上端を回り込む吊り材で互いに連結され、根太の下端位置で互いに接合されながら吊り材によって根太に吊り支持されることにより、根太に支持された状態での安定性を確保し、床用断熱材を支持する機能を持つ。前者の場合、複数個の断熱材ユニットは互いに接合されながら、根太に係止，もしくは係合する、あるいは接着されることにより根太に支持される。
【０００９】
根太の幅方向両側に位置する二個の断熱材ユニットが吊り材で連結された場合は根太用断熱材が根太に吊り支持されるため、根太を包囲した状態と、床用断熱材を支持した状態での落下に対する安全性が高い。
【００１０】
成型された断熱材を使用する場合、床の、特に根太の断熱は請求項５に記載のように上記のいずれかの根太用断熱材で根太の少なくとも下側の外周を包囲することで施され、この場合、成型された断熱材ユニットを用いるため、根太への取付作業が単純化され、施工能率が高い。
【００１１】
根太用断熱材として使用される成型された断熱材は具体的には押出発泡ポリスチレン，ビーズ型内発泡ポリスチレン，発泡ポリエチレン，発泡ポリウレタン，発泡ポリイソシアヌレート等の成型発泡プラスチック板であり、後述の床用断熱材や端根太用断熱材の他、外壁用断熱材、屋根用断熱材、天井用断熱材が成型された断熱材である場合も同様である。
【００１２】
根太用断熱材として繊維系断熱材を使用する場合は、請求項６に記載のように根太の少なくとも下側の外周に断熱材を巻き付けることにより床の根太部分における断熱が施され、現場で発泡させる発泡プラスチック系断熱材を使用する場合は、請求項７に記載のように根太の少なくとも下側の外周に断熱材を吹き付けることにより根太部分における断熱が施される。
【００１３】
繊維系断熱材の具体例にはグラスウール，ロックウール等があり、現場発泡の発泡プラスチック系断熱材の具体例には発泡ポリウレタン，発泡ポリユリア等がある。これらの繊維系断熱材と現場発泡の断熱材は後述する床用断熱材、端根太用断熱材、外壁用断熱材、屋根用断熱材及び天井用断熱材にも使用される。
【００１４】
床全体の断熱性は請求項８に記載のように上記の根太に対する断熱と共に、隣接する根太間に床用断熱材を配置することにより、あるいは請求項10に記載のように根太の下に木製の大引きが配置される場合に、隣接する大引き間に床用断熱材を配置することにより確保される。
【００１５】
前記の通り、床用断熱材は根太の天端から、根太の高さ方向の中間部の高さまでの外周を覆うため、請求項８の場合、根太の外周を覆う根太用断熱材の上に床用断熱材が配置されることで、根太用断熱材と床用断熱材によって根太と床下の外気との接触が完全に遮断される。この場合の床用断熱材には板状に成型された発泡プラスチック系断熱材の他、繊維系断熱材や現場で発泡する発泡プラスチック系断熱材が使用される。
【００１６】
床下の外気には基礎梁上で、もしくは基礎梁の屋内側で根太を支持する端根太の屋内側の面も触れるため、床全体の断熱効率を上げる上で、請求項９に記載のように端根太の屋内側にも端根太用断熱材が配置される。この端根太用断熱材にも板状に成型された発泡プラスチック系断熱材の他、繊維系断熱材や現場で発泡する発泡プラスチック系断熱材が使用される。
【００１７】
根太の下に根太を支持する木製の大引きが配置される場合には、請求項10に記載のように隣接する大引き間に床用断熱材を配置すれば、根太は床下の外気に直接触れない状態に置かれるため、根太に対する断熱処理を施さなくとも床の断熱性が確保される。この場合の床用断熱材にも板状に成型された発泡プラスチック系断熱材の他、繊維系断熱材や現場で発泡する発泡プラスチック系断熱材が使用される。
【００１８】
家屋全体の断熱性は請求項11に記載のように上記したいずれかの床断熱と共に、外壁面に沿って外壁用断熱材を配置することにより、更には請求項12に記載のように屋根面，もしくは天井面に沿って屋根用断熱材や天井用断熱材を配置することにより確保される。
【００１９】
請求項11における外壁用断熱材と、請求項12における屋根用断熱材や天井用断熱材にも板状に成型された発泡プラスチック系断熱材の他、繊維系断熱材や現場発泡の発泡プラスチック系断熱材が使用される。
【００２０】
【発明の実施の形態】
請求項１の根太用断熱材１は図１に示すように溝形断面形状に成型された一個の弾性を有する断熱材ユニット２から構成され、単独で溝形断面形の根太５の少なくとも下側の外周を包囲するものである。
【００２１】
根太用断熱材１は根太５を下側から包囲しながら、図14，図15に示すように床材６の下面に敷設される床用断熱材７を支持する役目を持つため、請求項１の断熱材ユニット２は単独で根太５に支持されるように形成される。
【００２２】
根太５には図１以下に示すようにリップ溝形鋼が使用されることから、図１では根太５を包囲した状態で断熱材ユニット２が根太５に支持されるよう、根太５の下側のリップ5cに接する部分に、リップ5cに下向きに係合するフック2aを形成している。一本の断熱材ユニット２は根太５の全長に亘る長さで、あるいは根太５の全長を複数に分割した長さで製作される。
【００２３】
図１の場合、断熱材ユニット２の根太５への取付時には(a) に示すように断熱材ユニット２自身の弾性を利用し、フック2aがリップ5cに衝突しない程度までリップ5aに接する部分を外側に広げた状態で断熱材ユニット２を根太５の下側から差し込み、フック2aがリップ5cの上に位置したところで復元させることにより、(b) に示すようにフック2aがリップ5cに係合し、断熱材ユニット２の内周面が根太５の外周面に密着して根太５への取付が完了する。
【００２４】
断熱材ユニット２が根太５に取り付けられた状態では、断熱材ユニット２の図心がフック2aとリップ5cとの接触部分より根太５のウェブ5a寄りに位置するため、断熱材ユニット２がフック2aとリップ5cとの接触部分の回りに回転しようとするが、断熱材ユニット２の内周面がウェブ5aとフランジ5bとリップ5cに面で密着していることで回転は拘束され、取付状態で安定する。
【００２５】
図１−(c) は断熱材ユニット２の、ウェブ5aとリップ5cに接触する部分の高さを大きくし、フック2aを形成した部分を上下のリップ5c，5c間に差し込みながら、フック2aが形成される側を上下のリップ5c，5cに接触させることで、断熱材ユニット２を取付状態で回転しにくい形に形成した場合を示す。
【００２６】
図11，図15に示すように隣接する根太５，５間に配置される床用断熱材７として板状に成型された発泡プラスチック系断熱材を使用する場合には、断熱材ユニット２の上端上に床用断熱材７が載り、断熱材ユニット２が床用断熱材７と共に根太５を被覆することになるが、断熱材ユニット２は根太５への取付状態で安定できることで、床用断熱材７を支持する能力も持つ。
【００２７】
断熱材ユニット２の根太５に接する内周面、もしくは根太５の外周面に接着剤や粘着剤を塗布しておき、根太５のウェブ5aとリップ5cに接する部分を外側に広げた状態で根太５の下側から断熱材ユニット２を差し込み、根太５のウェブ5aとフランジ5bとリップ5cの少なくともいずれかの面に接着させながら、密着させることによっても断熱材ユニット２は単独で根太５に支持され、併せて床用断熱材７を支持する能力を持つ。その場合は必ずしもリップ5cに接する部分にフック2aを形成する必要はない。
【００２８】
請求項２の根太用断熱材１は図２〜図７に示すように板状，あるいは山形状に成型された複数個の断熱材ユニット３，３から構成され、溝形断面形状に組み合わせられて根太５の少なくとも下側の外周を包囲するものである。この断熱材ユニット３も根太５の全長に亘る長さで、あるいは根太５の全長を複数に分割した長さで製作される。
【００２９】
隣接する複数個の断熱材ユニット３，３は図５〜図７に示すように根太５の下端の位置で互いに接合されることにより根太５の外周を包囲し、根太５へはこの接合によって、または図２，図３に示すように根太５の上端を回り込む吊り材４で互いに連結されることによって支持される。
【００３０】
複数個の断熱材ユニット３，３は図１に示すような溝形に成型された断熱材が図５に示すように根太５のウェブ5aの下方位置、もしくはフランジ5bの幅の範囲内で、あるいは図６，図７に示すようにリップ5cの下方位置で少なくとも二分割された形をし、双方の突合せ面は現場で互いに接合される。
【００３１】
図５−(a) 〜(d) ，図６−(a) 〜(c) は断熱材ユニット３，３を二分割で製作した場合、図７−(a) 〜(d) は三分割で製作した場合を示すが、三分割する場合は根太５のウェブ5aに重なる部分と、リップ5cに重なる部分と、フランジ5bに重なる部分に分割される。
【００３２】
接合は図４−(a) 〜(c) に示すように合决り矧ぎや実矧ぎ，雇い実矧ぎ等のように一方の突合せ面に凹部と凸部を形成し、他方の突合せ面に凸部と凹部を形成し、互いに嵌合させることにより、または(d) に示すように突合せ面に塗布される接着剤や粘着剤により、もしくは突合せ面を熱で溶着することにより、あるいはまた(e) に示すように両断熱材ユニット３，３に跨るテープやステープルにより行われる。
【００３３】
図５〜図７に示す根太用断熱材１において、根太５の幅方向両側に位置する二個の断熱材ユニット３，３の内、リップ5c側に位置する断熱材ユニット３が図１に示す断熱材ユニット２のようにフック2aを有する形状をしているか、または断熱材ユニット３の根太５側の面，もしくは根太５の外周面に接着剤や粘着剤が塗布されていれば、断熱材ユニット３，３は接合によって根太５を包囲しながら、根太５に支持されるため、吊り材４に依らずに床用断熱材７を支持し得る。
【００３４】
図２，図３は根太５の幅方向両側に位置する二個の断熱材ユニット３，３の上端間に吊り材４を架設し、吊り材４によって断熱材ユニット３，３を根太５に支持させる場合の例を示す。吊り材４を用いる場合、根太用断熱材１は三分割されていることもある。
【００３５】
吊り材４は図２に示すように断熱材ユニット３，３の上端の根太５側の縁間に、または根太５に対して外側の縁間に架設され、断熱材ユニット３の長さ方向には一箇所乃至数箇所配置される。図面では吊り材４を断熱材ユニット３，３の根太５側の縁間に架設し、断熱材ユニット３，３の上端面に接着，あるいは接合しているが、断熱材ユニット３，３の根太５側の面に吊り材４を接着，あるいは接合する場合もある。
【００３６】
吊り材４の根太５側の縁間の架設長さは図３−(c) に示すように根太５の幅に、床用断熱材７の厚さの二倍の大きさを加えた程度の大きさになる。吊り材４の材質は根太５上に敷設される床材６が根太５から実質的に浮かない程度の厚さであれば、一切問われない。例えば吊り材４が延性を有する材料の場合、吊り材４の根太５側の縁間の架設長さを根太５の幅に、床用断熱材７の厚さの二倍の大きさを加えた大きさより僅かに小さくしておけば、床用断熱材７の敷設によって吊り材４を延ばした状態で根太５に密着させ、断熱材ユニット３，３と根太５間の隙間の発生を防止することができる。
【００３７】
図２に示す根太用断熱材１は図３−(a) ，(b) に示すように断熱材ユニット３，３を開いた状態で根太５の上から落とし込まれ、(c) に示すように双方の突合せ面が互いに接合されることにより根太５を包囲した状態で設置される。この根太用断熱材１は吊り材４によって根太５に支持されるため、断熱材ユニット３，３の上端上に載る床用断熱材７も吊り材４によって根太５に支持される。
【００３８】
図８〜図11に上記のいずれかの根太用断熱材１を用いて根太５を被覆し、床に断熱を施す場合の施工要領を、図12に施工後の様子を示す。図８〜図12は基礎梁８の天端上に木製の土台９が載り、土台９の上に軽溝形鋼の端根太10が固定され、この端根太10が根太５を支持する場合の例である。
【００３９】
前記の通り、根太用断熱材１が一個の断熱材ユニット２からなる場合は図８に示すように根太５の下方から持ち上げられて設置され、吊り材４で連結された複数個の断熱材ユニット３からなる場合は図３に示すように根太５の上方から落とし込まれて設置される。
【００４０】
図８，図９に示すように根太用断熱材１は各根太５毎に取り付けられ、端根太10側の端部は端根太10に支持される。根太用断熱材１の設置後、図10に示すように端根太10の屋内側の、根太５，５間に端根太用断熱材11が配置される。端根太用断熱材11は端根太10に突き当たる根太５の内周部分にも配置されるが、この根太５内周部分の端根太用断熱材11は図８に示す段階で、根太用断熱材１の設置前に配置される。端根太用断熱材11には板状に成型された発泡プラスチック系断熱材の他、繊維系断熱材や現場で発泡する発泡プラスチック系断熱材が使用される。
【００４１】
その後、図11に示すように隣接する各根太５，５に取り付けられた根太用断熱材１，１間に床用断熱材７が落とし込まれて敷設され、両根太用断熱材１，１に支持される。図11〜図15では根太用断熱材１が成型された発泡プラスチック系断熱材であることに対応し、根太５，５間に配置される床用断熱材７にも板状に成型された発泡プラスチック系断熱材を使用しているが、床用断熱材７は図24，図25に示すような現場で発泡する発泡プラスチック系断熱材の場合や図26に示すような繊維系断熱材の場合もある。
【００４２】
図13は基礎梁８上に土台９がなく、基礎梁８上に直接端根太10が固定された場合の縦断面を、図14は端根太10が根太掛として基礎梁８の屋内側に固定された場合の縦断面を示す。図15は図14の斜視図である。図14は外壁面に沿い、板状に成型された発泡プラスチック系断熱材の外壁用断熱材15を配置した様子も示す。
【００４３】
図16〜図26は根太５の下に木製の大引き12が配置される場合の床断熱の例を示す。これらの場合、図16に示すように土台９と大引き12間、及び大引き12，12間に床用断熱材７が配置されれば根太５を床下の外気に直接触れさせない状態に置くことができるため、根太５を根太用断熱材１で被覆しなくとも床の断熱性が確保される。
【００４４】
土台９と大引き12間、及び大引き12，12間に配置される床用断熱材７は図16〜図18に示す板状に成型された発泡プラスチック系断熱材の他、図19，図20，図26に示す繊維系断熱材や、図21〜図23に示す現場で発泡する発泡プラスチック系断熱材の場合がある。成型された発泡プラスチック系断熱材の場合、床用断熱材７は図16に示すように土台９と大引き12に固定される受け金物13に支持される。
【００４５】
床用断熱材７の敷設後、図17に示すように大引き12と端根太10上に根太５が敷設され、最終的に図18に示すように根太５上に床材６が敷設される。図18は外壁面に沿い、板状に成型された発泡プラスチック系断熱材の外壁用断熱材15を配置した様子も示す。成型された発泡プラスチック系断熱材の外壁用断熱材15はサイディングボード16と柱17の間に挟まれる構造用合板18の屋外側に配置される。
【００４６】
図19，図20は床用断熱材７としてグラスウール等の繊維系断熱材を敷設した場合を示す。この場合、隣接する大引き12と端根太10間、及び大引き12，12間には床用断熱材７を受ける受け材14が架設され、この受け材14上に床用断熱材７が敷設される。図19，図20は外壁用断熱材15にも繊維系断熱材を使用した場合を示すが、繊維系断熱材の外壁用断熱材15も構造用合板18の屋外側に配置される。
【００４７】
図21〜図23は床用断熱材７として現場で発泡する発泡ポリウレタン，発泡ポリユリア等の発泡プラスチック系断熱材を大引き12上の、根太５の下端部分に吹き付けた場合を示す。この場合、床用断熱材７は現場で発泡する発泡プラスチックであることから、根太５の回りにも吹き付けられ、根太用断熱材１を兼ねることになる。大引き12と端根太10間、及び大引き12，12間、または根太５，５間には発泡プラスチックの付着と発泡プラスチックの支持のための受け材14が架設される。
【００４８】
図22は外壁用断熱材15として板状に成型された発泡プラスチック系断熱材を使用した場合を、図23は外壁用断熱材15として発泡プラスチック系断熱材を吹き付けた場合を示す。現場発泡の発泡プラスチック系断熱材の外壁用断熱材15は図21，図23−(a) ，(b) に示すように構造用合板18の屋内側と、端根太10の上に固定される下枠ランナー19上に吹き付けられる。
【００４９】
図24，図25は現場発泡の発泡プラスチック系断熱材を根太用断熱材１と床用断熱材７として使用し、その発泡プラスチック系断熱材を根太５の回りと床材６の下面に吹き付けた場合を示す。図24は外壁用断熱材15として現場発泡の発泡プラスチック系断熱材を吹き付けた場合、図25は成型された発泡プラスチック系断熱材を使用した場合である。
【００５０】
図26は根太５の上端面を除く外周に根太用断熱材１として繊維系断熱材を巻き付けると共に、床用断熱材７としても繊維系断熱材を用い、根太用断熱材１，１間に架設した場合を示す。図26では外壁用断熱材15として成型された発泡プラスチック系断熱材を使用している。
【００５１】
図27は根太用断熱材１と床用断熱材７及び外壁用断熱材15に加え、屋根面に屋根用断熱材20を配置し、家屋全体に断熱を施した場合を示す。屋根用断熱材20は野地板21と垂木22の間に敷設される。
【００５２】
図28は図27の屋根用断熱材20に代え、天井面に天井用断熱材23を配置した場合を示す。天井用断熱材23は天井根太24と天井材25の間に敷設される。
【００５３】
【発明の効果】
請求項１乃至請求項７では根太用断熱材によって根太の少なくとも下側の外周を包囲し、根太と床下の外気との接触を遮断するため、根太における熱伝導を防止できる。
【００５４】
特に請求項１乃至請求項５では成型された一個，もしくは複数個の断熱材ユニットを用いるため、根太への取付作業性がよく、施工能率が向上する。
【００５５】
請求項４，請求項５では根太の幅方向両側に位置する二個の断熱材ユニットを吊り材で互いに連結しているため、断熱材ユニットが根太を包囲した状態と、床用断熱材を支持した状態での落下に対する安全性が高い。
【００５６】
請求項８では請求項１乃至請求項７による根太に対する断熱と共に、根太間に床用断熱材を配置するため、床全体の断熱性が確保される。
【００５７】
請求項９では基礎梁上で、もしくは基礎梁の屋内側で根太を支持する端根太の屋内側にも端根太用断熱材を配置するため、床全体の断熱性が向上する。
【００５８】
請求項10では根太の下に根太を支持する木製の大引きが配置される場合に、隣接する大引き間に床用断熱材を配置することで、根太を床下の外気に直接触れない状態におくため、床の断熱性を確保する上で根太に断熱処理を施す必要がない。
【００５９】
請求項11では請求項８乃至請求項10のいずれかの床断熱に加え、外壁面に沿って外壁用断熱材を配置し、請求項12では屋根面，もしくは天井面に屋根用断熱材や天井用断熱材を配置するため、家屋全体の断熱性が確保される。
【図面の簡単な説明】
【図１】  (a) は請求項１の根太用断熱材を根太に取り付けるときの様子を示した縦断面図、(b) は取付状態を示した縦断面図、(c) は(b) の変形例を示した縦断面図である。
【図２】請求項２，請求項４の根太用断熱材を示した斜視図である。
【図３】図２の根太用断熱材の根太への取付要領を示した縦断面図である。
【図４】請求項２の根太用断熱材を構成する断熱材ユニットの接合部分を示した縦断面図である。
【図５】請求項２の根太用断熱材を根太の下端位置で二分割した場合の断熱材ユニットのパターンを示した縦断面図である。
【図６】請求項２の根太用断熱材を根太のリップ寄りで二分割した場合の断熱材ユニットのパターンを示した縦断面図である。
【図７】請求項２の根太用断熱材を三分割した場合の断熱材ユニットのパターンを示した縦断面図である。
【図８】根太用断熱材を根太に取り付けるときの様子を示した斜視図である。
【図９】根太用断熱材を根太に取り付けた状態を示した斜視図である。
【図１０】端根太に端根太用断熱材を取り付けるときの様子を示した斜視図である。
【図１１】根太用断熱材上に床用断熱材を設置するときの様子を示した斜視図である。
【図１２】床用断熱材の設置が完了した状態を示した縦断面図である。
【図１３】端根太が直接基礎梁に固定される場合の、床用断熱材の設置が完了した状態を示した縦断面図である。
【図１４】端根太が根太掛けとして基礎梁に固定される場合の、床用断熱材の設置が完了した状態を示した縦断面図である。
【図１５】図14の斜視図である。
【図１６】根太の下に大引きが配置される場合に、大引き上に床用断熱材を設置するときの様子を示した斜視図である。
【図１７】大引き上に根太を設置したときの様子を示した斜視図である。
【図１８】根太上に床材を敷設した後の様子を示した縦断面図である。
【図１９】図17の変形例を示した斜視図である。
【図２０】図19の縦断面図である。
【図２１】図17の変形例を示した斜視図である。
【図２２】図21の縦断面図である。
【図２３】  (a) は図22の変形例を示した縦断面図、(b) は(a) の横断面図である。
【図２４】  (a) は図22の変形例を示した縦断面図、(b) は(a) の横断面図である。
【図２５】図24−(a) の変形例を示した縦断面図である。
【図２６】図25の変形例を示した縦断面図である。
【図２７】家屋に対して外壁用断熱材と屋根用断熱材を配置した様子を示した縦断面図である。
【図２８】家屋に対して外壁用断熱材と天井用断熱材を配置した様子を示した縦断面図である。
【符号の説明】
１……根太用断熱材、２……断熱材ユニット、2a……フック、３……断熱材ユニット、４……吊り材、５……根太、5a……ウェブ、5b……フランジ、5c……リップ、６……床材、７……床用断熱材、８……基礎梁、９……土台、10……端根太、11……端根太用断熱材、12……大引き、13……受け金物、14……受け材、15……外壁用断熱材、16……サイディングボード、17……柱、18……構造用合板、19……下枠ランナー、20……屋根用断熱材、21……野地板、22……垂木、23……天井用断熱材、24……天井根太、25……天井材。
【図１】
0003871419.tif 000002
【図２】
0003871419.tif 000003
【図３】
0003871419.tif 000004
【図４】
0003871419.tif 000005
【図５】
0003871419.tif 000006
【図６】
0003871419.tif 000007
【図７】
0003871419.tif 000008
【図８】
0003871419.tif 000009
【図９】
0003871419.tif 000010
【図１０】
0003871419.tif 000011
【図１１】
0003871419.tif 000012
【図１２】
0003871419.tif 000013
【図１３】
0003871419.tif 000014
【図１４】
0003871419.tif 000015
【図１５】
0003871419.tif 000016
【図１６】
0003871419.tif 000017
【図１７】
0003871419.tif 000018
【図１８】
0003871419.tif 000019
【図１９】
0003871419.tif 000020
【図２０】
0003871419.tif 000021
【図２１】
0003871419.tif 000022
【図２２】
0003871419.tif 000023
【図２３】
0003871419.tif 000024
【図２４】
0003871419.tif 000025
【図２５】
0003871419.tif 000026
【図２６】
0003871419.tif 000027
【図２７】
0003871419.tif 000028
【図２８】
0003871419.tif 000029